(57)【要約】【課題】ドロップインコンロのコンロ本体２の上縁の外曲げフランジ２１に装着された状態でカウンタトップ１に開設したコンロ開口１ａの口縁部に着座するシールパッキン５を、外曲げフランジに装着される内周側の厚肉部５１と外周側の薄肉部５２とを有する形状に形成し、天板３の外周の垂下板部３１を薄肉部に着座させると共に、垂下板部の下縁に折り返し部３２を形成するものにおいて、天板のセット作業性を良くすると共に天板を容易には取り外しできないようにする。【解決手段】シールパッキン５の厚肉部外周の段差面５６に、外方に突出する突片部５７を形成する。この突片部５７の上下方向位置及び外方への突出量は、薄肉部５２に天板３の垂下板部３１を着座させた状態で折り返し部３２の上方への投影面に突片部５７が重なるように設定される。【選択図】図２
2006090617.tif 000002
【特許請求の範囲】
【請求項１】
上縁に外曲げフランジを有し、カウンタトップに開設したコンロ開口に落とし込んだ状態でコンロ開口の口縁部に外曲げフランジにより掛止されるコンロ本体と、コンロ本体の上面を外曲げフランジに亘って上方から覆う天板とを備えるドロップインコンロのシール装置であって、コンロ本体の外曲げフランジに装着された状態でコンロ開口の口縁部に着座する環状のシールパッキンを備え、シールパッキンは、外曲げフランジに装着される内周側の厚肉部と、厚肉部の下部から外方に張り出す外周側の薄肉部とを有し、この薄肉部に天板の外周の垂下板部を着座させると共に、垂下板部の下縁に、垂下板部の内面側で上方に折り返された折り返し部を形成するものにおいて、
シールパッキンの厚肉部外周の薄肉部との間の段差面に、天板の垂下板部を薄肉部に着座させた状態で垂下板部の折り返し部の上方への投影面に重なるような位置関係で外方に突出する突片部が形成されていることを特徴とするドロップインコンロのシール装置。
【請求項２】
前記突片部の先端に下方への屈曲部が形成されていることを特徴とする請求項１記載のドロップインコンロのシール装置。
【発明の詳細な説明】
【技術分野】
【０００１】
本発明は、カウンタトップに開設したコンロ開口にコンロ本体を落とし込むようにして配置するドロップインコンロのシール装置に関する。
【背景技術】
【０００２】
ドロップインコンロでは、一般に、コンロ本体の上縁に外曲げフランジを形成し、コンロ本体をカウンタトップのコンロ開口に落とし込んだ状態で外曲げフランジによりコンロ開口の口縁部に掛止し、コンロ本体の上面を天板により外曲げフランジに亘って上方から覆うようにしている。
【０００３】
そして、このようなドロップインコンロのシール装置として、従来、コンロ本体の外曲げフランジに装着された状態でコンロ開口の口縁部に着座する環状のシールパッキンを備えるものが知られている（例えば、特許文献１参照）。このシールパッキンは、外曲げフランジに装着される内周側の厚肉部と、厚肉部の下部から外方に張り出す外周側の薄肉部とを有し、この薄肉部に天板の外周の垂下板部を着座させている。尚、上記公報に記載のものでは、天板の垂下板部の下縁に内曲げフランジを形成し、内曲げフランジをシールパッキンの薄肉部に着座させている。
【０００４】
ところで、垂下板部の下縁に、安全対策として、垂下板部の内面側で上方に折り返された折り返し部を形成することもある。この場合、シールパッキンの薄肉部に対する垂下板部の当接面積が狭くなり、天板が少しでもずれると垂下板部がシールパッキンから外れてしまう。外れ対策として、薄肉部の幅を広くすることも考えられるが、これでは薄肉部が垂下板部からはみ出して体裁を損なう。そのため、シールパッキンの厚肉部外周の肉薄部との間の段差面と垂下板部の折り返し部内面との間の隙間を狭く設定し、天板のずれを抑制することが必要になる。
【０００５】
然し、このように厚肉部外周の段差面と垂下板部の折り返し部内面との間の隙間を狭く設定した場合は、天板を載置（セット）する際に、折り返し部が厚肉部に干渉しやすくなる。ここで、厚肉部はこれに装着する外曲げフランジの影響で幅方向には弾性変形し難くなっており、折り返し部が厚肉部に干渉すると、そこで支えて天板を正しくセットできなくなる。従って、天板のセット作業に際しては、折り返し部が厚肉部に干渉しないように、シールパッキンに対し天板を正確に位置合わせすることが必要になり、天板のセット作業が面倒になる。
【０００６】
また、セット作業を容易にするため、段差面を上方に向かって内方に傾く傾斜面に形成することも考えられるが、この場合にも、折り返し部が段差面に干渉すると、摩擦抵抗で天板をそれ以上押し下げられなくなることがあるため、天板の位置合わせが必要になる。
【０００７】
また、コンロ本体の内蔵機器をユーザが勝手に弄ることができないように、天板を取り外しにくくすることが望まれるが、従来のものでは天板を上方に引張ることで簡単に天板を取り外すことができてしまう。
【特許文献１】実用新案登録第２５１３９６７号公報（図４）
【発明の開示】
【発明が解決しようとする課題】
【０００８】
本発明は、以上の点に鑑み、天板のセット作業性を良くすると共に天板を容易には取り外せなくしたドロップインコンロのシール装置を提供することをその課題としている。
【課題を解決するための手段】
【０００９】
上記課題を解決するために、本発明は、上縁に外曲げフランジを有し、カウンタトップに開設したコンロ開口に落とし込んだ状態でコンロ開口の口縁部に外曲げフランジにより掛止されるコンロ本体と、コンロ本体の上面を外曲げフランジに亘って上方から覆う天板とを備えるドロップインコンロのシール装置であって、コンロ本体の外曲げフランジに装着された状態でコンロ開口の口縁部に着座する環状のシールパッキンを備え、シールパッキンは、外曲げフランジに装着される内周側の厚肉部と、厚肉部の下部から外方に張り出す外周側の薄肉部とを有し、この薄肉部に天板の外周の垂下板部を着座させると共に、垂下板部の下縁に、垂下板部の内面側で上方に折り返された折り返し部を形成するものにおいて、シールパッキンの厚肉部外周の薄肉部との間の段差面に、天板の垂下板部を薄肉部に着座させた状態で垂下板部の折り返し部の上方への投影面に重なるような位置関係で外方に突出する突片部が形成されていることを特徴とする。
【００１０】
本発明によれば、天板をセットする際、天板の垂下板部に押されて突片部が下方に撓み、垂下板部の折り返し部が下方に撓んだ突片部の外面に沿って下降する。この際、垂下板部に突片部の弾性復元力による外方への押し力が作用し、この押し力が天板の全周に亘って均等になるように天板が自動的に位置調整され、シールパッキンに対し天板が正確に位置合わせされる。その後、折り返し部が突片部の下方に抜け出て、シールパッキンの薄肉部に垂下板部が着座すると共に、突片部が段差面の外方に突出する元の状態に復元する。そして、この状態で突片部が垂下板部の内面に当接するか、突片部と垂下板部との間の隙間が極僅かになるように突片部の突出量を設定しておけば、シールパッキンの段差面と折り返し部の内面との隙間を広く取っても、突片部により天板のずれが抑制され、垂下板部がシールパッキンから外れることが防止される。このように本発明によれば、シールパッキンに対し天板を正確に位置合わせしなくても天板を正しくセットできて、天板のセット作業性が良好になると共に、天板のずれによるシールパッキンからの外れも防止できる。
【００１１】
尚、シールパッキンの段差面を上方に向かって内方に傾斜する傾斜面に形成すれば、段差面の下部と折り返し部内面との間の隙間を狭くして、段差面により天板のずれを抑制することができ、必ずしも突片部により天板のずれを抑制する必要はない。この場合、天板のセット時に折り返し部が段差面に干渉して支える可能性があるが、本発明では、突片部による上記したガイド作用によりシールパッキンに対し天板が正確に位置合わせされるため、折り返し部が段差面に干渉して支えることはなく、天板のセット作業性が良好になる。
【００１２】
また、天板を一旦セットすると、天板を引き上げても突片部に折り返し部が引掛かり、天板を容易には取り外せなくなる。従って、ユーザが天板を取り外して、コンロ本体の内蔵機器を勝手に弄ることを有効に防止できる。
【００１３】
また、突片部の先端に下方への屈曲部を形成しておけば、天板を引き上げたときに屈曲部が折り返し部に食い込み、天板が一層取り外しにくくなる。
【発明を実施するための最良の形態】
【００１４】
図１は、システムキッチンのカウンタトップ１にドロップインコンロを組み込んだ状態を示している。このコンロは、図２に示す如く、上面を開放面とする箱形のコンロ本体２を備えている。コンロ本体２の上縁には外曲げフランジ２１が形成されており、コンロ本体２をカウンタトップ１に開設したコンロ開口１ａに落とし込んだ状態で、外曲げフランジ２１をコンロ開口１ａの口縁部に掛止して、コンロ本体２をカウンタトップ１に吊持させている。そして、天板３によりコンロ本体２を外曲げフランジ２１に亘って上方から覆うようにしている。
【００１５】
図１を参照して、天板３には、コンロ本体２に設けた２個のコンロバーナ（図示せず）を臨ませる２個のバーナ用開口３ａが形成され、また、天板３の前部上面には、コンロバーナ用の２個の操作摘み４が配置されている。尚、図示省略したが、天板３上には、バーナ用開口３ａを囲うようにして五徳が載置される。
【００１６】
図２を参照して、コンロ本体１の外曲げフランジ２１には全周に亘る環状のシールパッキン５が装着されており、外曲げフランジ２１をシールパッキン５を介してコンロ開口１ａの口縁部に着座させ、コンロ開口１ａ内に煮こぼれ汁等の異物が侵入しないようにしている。シールパッキン５は、シリコンゴム等の弾性材料で形成されるもので、内周側の厚肉部５１と、厚肉部５１の下部から外方に張り出す外周側の薄肉部５２とを有する。厚肉部５１には、外曲げフランジ２１用の挿入溝５３と、空孔部５４とが形成されている。そして、挿入溝５３に外曲げフランジ２１を嵌め込むことにより、外曲げフランジ２１にシールパッキン５（厚肉部５１）が装着されるようにしている。また、厚肉部５１の下面には、図３に示す如く、複数のリブ５５が突設されており、シールパッキン５をカウンタトップ１に着座させたときに、リブ５５が潰れて良好なシール性が得られるようにしている。また、薄肉部５２は、自由状態において斜め下方に傾斜しており、シールパッキン５をカウンタトップ１に着座させたときに、薄肉部５２が弾性復元力によりカウンタトップ１に密着するようにしている。
【００１７】
天板３の外周には、プレス加工で垂下板部３１が形成されており、シールパッキン５の薄肉部５２に垂下板部３１が着座する。また、垂下板部３１の下縁には、垂下板部３１の内面側で上方に折り返された折り返し部３２が形成されている。シールパッキン５の厚肉部５１外周の薄肉部５２との間の段差面５６は、上方に向かって内方に傾斜する傾斜面に形成されている。そして、段差面５６の下部と折り返し部３２の内面との間の隙間を狭く設定し、段差面５６により天板３のずれを抑制して、シールパッキン５（薄肉部５２）から天板３が外れることを防止できるようにしている。
【００１８】
このように段差面５６を傾斜面に形成しても、天板３をセットする際に、シールパッキン５に対し天板３を正確に位置合わせしないと、折り返し部３２が段差面５６に干渉して支え、天板３を正しくセットできなくなることがある。そこで、本実施形態では、段差面５６に、外方に突出する突片部５７を形成している。この突片部５７の上下方向位置及び外方への突出量は、薄肉部５２に天板３の垂下板部３１を着座させた状態で折り返し部３２の上方への投影面に突片部５７が重なるように設定されている。
【００１９】
これによれば、天板３をセットする際、天板３の垂下板部３１に押されて突片部５７が下方に撓み、垂下板部３１の折り返し部３２が下方に撓んだ突片部５７の外面に沿って下降する。この際、垂下板部３１に突片部５７の弾性復元力による外方への押し力が作用し、この押し力が天板３の全周に亘って均等になるように天板３が自動的に位置調整され、シールパッキン５に対し天板３が正確に位置合わせされる。その後、折り返し部３２が突片部５７の下方に抜け出て、薄肉部５２に垂下板部３１が着座すると共に、突片部５７が段差面５６の外方に突出する元の状態に復元する。このようにシールパッキン５に対し天板３を正確に位置合わせしなくても、突片部５７によるガイド作用で天板３が自動的に位置合わせされるため、折り返し部３２が段差面５６に干渉して支えるようなことはなく、天板３のセット作業性が良好になる。
【００２０】
また、天板３を一旦セットすると、天板３を引き上げても突片部５７に折り返し部３２が引掛かり、天板３を容易には取り外せなくなる。従って、ユーザが天板３を取り外して、コンロ本体２の内蔵機器を勝手に弄ることを有効に防止できる。
【００２１】
尚、突片部５７の突出量を大きくし過ぎると、天板３のセット時に、折り返し部３２が下方に撓んだ突片部５７を段差面５６との間に挟み込んだまま薄肉部５２に垂下板部３１が着座してしまう。従って、突片部５７の突出量には制限があり、本実施形態では、突片部５７と垂下板部３１の内面との間に隙間が空いている。そのため、天板３のずれは実質的に段差面５６により抑制される。
【００２２】
次に、図４に示されている第２実施形態について説明する。このものでは、厚肉部５１をより厚くして、突片部５７の形成位置を上記第１実施形態よりも高くしている。そして、突片部５７の突出量をより大きくし、突片部５７を垂下板部３１の内面に当接させて、天板３のずれを突片部５７により抑制できるようにしている。また、第２実施形態では、段差面５６が傾斜しておらず、段差面５６と折り返し部３２の内面との間に比較的広い隙間を確保している。これは、天板３のセット時に突片部５７が下方に撓んだ状態で段差面５６と折り返し部３２との間に強く挟み込まれ、その反力で折り返し部３２の通過抵抗が過大になることを防止するためである。尚、第１実施形態のように段差面５６を傾斜面に形成する場合には、段差面５６の下部と折り返し部３２との間の隙間を狭くしても、天板３のセット時に突片部５７が下方に撓んで当接する段差面５６の上部において折り返し部３２との間に比較的広い隙間が確保されるため、折り返し部３２の通過抵抗が過大になることはない。
【００２３】
また、第２実施形態では、突片部５７の先端に下方への屈曲部５７ａを形成している。これによれば、天板３を引き上げたとき、屈曲部５７ａが折り返し部３２に食い込み、天板３が一層取り外しにくくなる。尚、図示しないが、突片部５７の先端を上下に分岐した二股形状に形成しても良い。
【図面の簡単な説明】
【００２４】
【図１】本発明の第１実施形態のシール装置を具備するドロップインコンロをカウンタトップに組み込んだ状態の斜視図。
【図２】図１のＩＩ−ＩＩ線で切断した拡大切断面図。
【図３】図２のシールパッキンの自由状態の断面図。
【図４】図２に対応する第２実施形態の断面図。
【符号の説明】
【００２５】
１…カウンタトップ、１ａ…コンロ開口、２…コンロ本体、２１…外曲げフランジ、３…天板、３１…垂下板部、３２…折り返し部、５…シールパッキン、５１…厚肉部、５２…薄肉部、５６…段差面、５７…突片部。
【図１】
2006090617.tif 000003
【図２】
2006090617.tif 000004
【図３】
2006090617.tif 000005
【図４】
2006090617.tif 000006